(57)【要約】【課題】停電の際に中和剤注入装置の電源切り替えを行う場合、誤操作を防止して電源切り替えを行うことができるようにする。【解決手段】発電所にはボイラー装置における燃焼に応じて発電を行う発電プラントが複数備えられ、発電プラント毎にボイラー装置から排出される燃焼排ガスを処理する際に中和剤を注入する中和剤注入装置が備えられている。一の発電プラントの中和剤注入装置を停止する事態が生じた際、別の発電プラントの中和剤注入装置から一の発電プラントに中和剤を供給中に、別の発電プラントで停電が発生した際、別の発電プラントにおける停電の確認に応じて別の発電プラントの中和剤注入装置が手動・起動状態であるか否かを確認し、一の発電プラント側電源の電源電圧の確認に応じて電源切り替えスイッチによって別の発電プラントの中和剤注入装置に一の発電プラント側電源を接続する。【選択図】図４
2008194578.tif 000002
【特許請求の範囲】
【請求項１】
それぞれがボイラー装置における燃焼に応じて発電を行う複数の発電プラントを有し、前記発電プラント毎に前記ボイラー装置から排出される燃焼排ガスを処理する際に中和剤を注入する中和剤注入装置が備えられ、前記発電プラントのうち一の発電プラントにおける前記中和剤注入装置を停止する事態が生じた場合、前記発電プラントのうち別の発電プラントにおける前記中和剤注入装置から前記一の発電プラントに前記中和剤を供給するようにした発電所において、前記別の発電プラントにおける中和剤注入装置から前記一の発電プラントに前記中和剤を供給中に前記別の発電プラントで停電が発生した際に前記別の発電プラントにおける前記中和剤注入装置に電源を供給するための中和剤注入装置電源切り替え方法であって、
一の発電プラント側電源と別の発電プラント側電源とを切り替える電源切り替えスイッチが備えられており、
前記別の発電プラントにおける停電の確認に応じて前記別の発電プラントにおける中和剤注入装置が手動・起動状態であるか否かを確認する第１のステップと、
前記一の発電プラント側電源の電源電圧の確認に応じて前記電源切り替えスイッチによって前記別の発電プラントにおける前記中和剤注入装置に前記一の発電プラント側電源を接続する第２のステップと、を有することを特徴とする中和剤注入装置電源切り替え方法。
【請求項２】
前記別の発電プラントの前記中和剤注入装置は、前記中和剤注入装置中を流れる物質の流れを遮断する遮断弁と、前記中和剤注入装置の運転状態を手動又は自動で制御する調整弁とを備え、
前記第２のステップが行われたことに応じて、前記別の発電プラントにおける前記中和剤注入装置の遮断弁を開状態とする第３のステップと、
前記別の発電プラントにおける前記中和剤注入装置の調整弁を自動とする第４のステップとを有することを特徴とする請求項１記載の中和剤注入装置電源切り替え方法。
【請求項３】
前記別の発電プラントにおける電源復旧に応じて、前記別の発電プラント側電源の電源電圧が確認されると前記電源切り替えスイッチによって前記別の発電プラントにおける前記中和剤注入装置に前記別の発電プラント側電源を接続する第５のステップと、
前記第５のステップが行われたことに応じて、前記別の発電プラントにおける前記中和剤注入装置の遮断弁を開状態とする第６のステップと、
前記別の発電プラントにおける前記中和剤注入装置の調整弁を自動とする第７のステップとを有することを特徴とする請求項２記載の中和剤注入装置電源切り替え方法。
【請求項４】
前記第３のステップ及び前記第４のステップと、前記第６のステップ及び前記第７のステップと、は予め定められたチェック項目に応じて実行されることを特徴とする請求項３記載の中和剤注入装置電源切り替え方法。
【発明の詳細な説明】
【技術分野】
【０００１】
本発明は、火力発電所等において排煙に含まれる窒素分等を処理する際に用いられる中和剤（例えば、アンモニア）を注入するための中和剤注入装置の電源切り替えを行うための方法に関するものである。
【背景技術】
【０００２】
一般に、火力発電所においては、ボイラーで燃料（石油又は石炭）の燃焼を燃焼させて、蒸気を発生させ、この蒸気によってタービンを駆動し発電を行っている。燃焼の際ボイラーから排出される燃焼排ガス（排煙）は、脱硝装置に導かれてここで窒素酸化物が除去された後、電気集塵機で煤塵が捕集される。その後、燃焼排ガスは脱硫装置に導かれてここで硫黄酸化物が除去されて、煙突から大気中へ放出される。
【０００３】
燃焼排ガスから窒素酸化物を除去する際には、中和剤注入装置（例えば、アンモニア装置）からアンモニア等の中和剤が脱硝装置に供給され、これによって燃焼排ガスの脱硝を行うようにしている。また、電気集塵機にも中和剤注入装置から中和剤が供給され、硫黄酸化物による電気集塵機への影響を緩和するようにしている（硫黄酸化物による電気集塵機の腐食等を防止するようにしている）。さらに、脱硫装置にも中和剤注入装置から中和剤が供給され、脱硫装置によって燃焼排ガス中の硫黄酸化物を除去するようにしている。
【０００４】
ところで、火力発電所においては、一般に複数の発電設備が備えられており、各発電設備に対応して燃焼系統が存在する。そして、各発電設備に対応して、つまり、各燃焼系統に対応して前述の脱硝装置、電気集塵機、及び脱硫装置が備えられている。また、各燃焼系統にはそれぞれ中和剤注入装置が備えられている。
【０００５】
以下の説明においては、発電設備として１号機及び２号機が存在し、１号機に対応して第１の中和剤注入装置（例えば、アンモニア装置）があり、２号機に対応して第２の中和剤注入装置があるものとする。なお、第１の中和剤注入装置は、例えば、３０トンアンモニア装置であり、第２の中和剤注入装置は１０トンアンモニア装置である。
【０００６】
火力発電所においては、各種設備を定期点検する必要があり、３０トンアンモニア装置が点検中である際には、臨時的に１０トンアンモニア装置から１号機にアンモニアを供給するようにしている。なお、ボイラー排煙処理設備として、例えば、特許文献１に記載の物が知られている。
【特許文献１】特開２００２−１６２０２０号公報
【発明の開示】
【発明が解決しようとする課題】
【０００７】
前述のように、１号機に対応する３０トンアンモニア装置が点検中である際には、２号機に対応する１０トンアンモニア装置から１号機にアンモニアを供給するようにしているが、１０トンアンモニア装置は２号機用の所内電源で駆動されているため、この所内電源に停電等が発生すると、１０トンアンモニア装置に電力が供給されない状態となって、１０トンアンモニア装置が停止してしまうという事態が生じる。
【０００８】
例えば、１号機と２号機とでは、その定期点検サイクルが異なることがあり、１号機においては、現在３０トンアンモニア装置の点検中であるにもかかわらず、２号機においては別の設備を点検中である場合がある。このような場合に、所内電源切り替え等によって、２号機用非常Ｃ／Ｃを停電させると、１０トンアンモニア装置が停止してしまうことになる。この結果、１号機は運転中であるにもかかわらず、脱硝が行われなくなってしまう。
【０００９】
このように、複数の発電設備を有する火力発電所において、１つの発電設備に対応する中和剤注入装置を点検中においては、別の発電設備に対応する中和剤注入装置からこの１つの発電設備に対して中和剤が供給されることになるが、別の発電設備において電源切り替え等によって非常用Ｃ／Ｃが停電すると、別の発電設備に対応する中和剤注入装置が停止してしまうことになり、上記の１つの発電設備に対して中和剤が供給されなくなってしまうという課題がある。
【００１０】
そこで、本発明の目的は、誤操作を防止して停電の際に電源切り替えを行うことができ、中和剤が供給されないという事態を回避することのできる中和剤注入装置電源切り替え方法を提供することにある。
【課題を解決するための手段】
【００１１】
本発明は、それぞれがボイラー装置における燃焼に応じて発電を行う複数の発電プラントを有し、前記発電プラント毎に前記ボイラー装置から排出される燃焼排ガスを処理する際に中和剤を注入する中和剤注入装置が備えられ、前記発電プラントのうち一の発電プラントにおける前記中和剤注入装置を停止する事態が生じた場合、前記発電プラントのうち別の発電プラントにおける前記中和剤注入装置から前記一の発電プラントに前記中和剤を供給するようにした発電所において、前記別の発電プラントにおける中和剤注入装置から前記一の発電プラントに前記中和剤を供給中に前記別の発電プラントで停電が発生した際に前記別の発電プラントにおける前記中和剤注入装置に電源を供給するための中和剤注入装置電源切り替え方法であって、一の発電プラント側電源と別の発電プラント側電源とを切り替える電源切り替えスイッチが備えられており、前記別の発電プラントにおける停電の確認に応じて前記別の発電プラントにおける中和剤注入装置が手動・起動状態であるか否かを確認する第１のステップと、前記一の発電プラント側電源の電源電圧の確認に応じて前記電源切り替えスイッチによって前記別の発電プラントにおける前記中和剤注入装置に前記一の発電プラント側電源を接続する第２のステップと、を有することを特徴とするものである。
【００１２】
本発明の中和剤注入装置電源切り替え方法は、前記別の発電プラントの前記中和剤注入装置は、前記中和剤注入装置中を流れる物質の流れを遮断する遮断弁と、前記中和剤注入装置の運転状態を手動又は自動で制御する調整弁とを備え、前記第２のステップが行われたことに応じて、前記別の発電プラントにおける前記中和剤注入装置の遮断弁を開状態とする第３のステップと、前記別の発電プラントにおける前記中和剤注入装置の調整弁を自動とする第４のステップとを有することを特徴とするものである。
【００１３】
本発明の中和剤注入装置電源切り替え方法は、前記別の発電プラントにおける電源復旧に応じて、前記別の発電プラント側電源の電源電圧が確認されると前記電源切り替えスイッチによって前記別の発電プラントにおける前記中和剤注入装置に前記別の発電プラント側電源を接続する第５のステップと、前記第５のステップが行われたことに応じて、前記別の発電プラントにおける前記中和剤注入装置の遮断弁を開状態とする第６のステップと、前記別の発電プラントにおける前記中和剤注入装置の調整弁を自動とする第７のステップとを有することを特徴とするものである。
【００１４】
なお、本発明では、前記第３のステップ及び前記第４のステップと、前記第６のステップ及び前記第７のステップと、は予め定められたチェック項目に応じて実行することが望ましい。
【発明の効果】
【００１５】
以上のように、本発明によれば、別の発電プラントにおける停電の確認に応じて別の中和剤注入装置が手動・起動状態であるか否かを確認し、一の発電プラント側電源の電源電圧の確認に応じて電源切り替えスイッチによって別の発電プラントにおける中和剤注入装置に一の発電プラント側電源を接続するようにしたので、誤操作を防止して停電の際に電源切り替えを適切に行うことができるという効果がある。
【００１６】
本発明では、電源切り替えを行った後、別の発電プラントにおける中和剤注入装置の遮断弁を開状態とし、さらに、別の発電プラントにおける中和剤注入装置の調整弁を自動とするようにしたので、電源切り替えによって中和剤注入装置が悪影響をうけることがない。
【００１７】
本発明によれば、別の発電プラントにおける電源復旧に応じて、別の発電プラント側電源の電源電圧が確認されると電源切り替えスイッチによって別の発電プラントにおける中和剤注入装置に別の発電プラント側電源を接続し、その後、別の発電プラントにおける中和剤注入装置の遮断弁を開状態とし、さらに、別の発電プラントにおける中和剤注入装置の調整弁を自動とするようにしたので、適切に電源復旧を行うことができる。
【発明を実施するための最良の形態】
【００１８】
次に本発明の実施の形態による中和剤注入装置電源切り替え方法の一例について説明する。ここでは、中和剤としてアンモニアを用いるアンモニア装置を例に挙げて説明する。一般に、火力発電所には、複数の火力発電プラントが備えられている。なお、本実施の形態では、火力発電所が、１号火力発電プラント（以下単に１号機と呼ぶ）及び２号火力発電プラント（以下単に２号機と呼ぶ）を有しているものとするが、複数の火力発電プラントを有している場合においても同様に適用できる。
【００１９】
図１は１号機の主要部を示す図であり（なお、図示はしないが、２号機も１号機と同様の構成を有している）、ボイラー装置１１には、火炉１２が規定されており、火炉１２に連続する煙道（燃焼排ガス路）１３には順次下流側に向かって２次過熱器１４、第１の再熱器１５、１次過熱器１６、第２の再熱器１７、及び節炭器１８が配設されている。そして、煙道１３は脱硝装置１９、空気予熱器２０、電気集塵機２１、及び脱硫装置２２を介して煙突２３に繋がっている。
【００２０】
一方、節炭器１８と脱硝装置１９との間において、煙道１３には排ガス再循環ダクト２４が連結され、この排ガス再循環ダクト２４は火炉１２の底部に連結されている。そして、排ガス再循環ダクト２４には排ガス再循環ファン（ＧＲＦ）２５が配置されるとともに、火炉１２の底部付近において火炉ホッパーダンパー（火炉ダンパー）２６が配設されている。
【００２１】
図示のように、火炉１２には空気予熱器２０を通過して通風ダクト２７が接続されており、押込通風機（ＦＤＦ）２８によって通風ダクト２７を介して火炉１２に空気が送り込まれる。また、空気予熱器２０よりも下流側において、通風ダクト２７はバイパスダクト２９を介して排ガス再循環ダクト２４に接続されている。なお、バイパスダクト２９には排ガス再循環昇圧ファン（ＧＲＢＦ）３０が配置され、バイパスダクト２９はＧＲＦ２５と火炉ホッパーダンパー２６との間において排ガス再循環ダクト２４に接続されている。
【００２２】
前述の節炭器１８には、復水器から復水（水）が供給され、この節炭器１８は火炉水壁（火炉水冷壁）３１を介して１次過熱器１６に接続されている。そして、１次過熱器１６は２次過熱器１４に接続され、２次過熱器１４は高圧タービン（ＨＰ）３２に接続されている。高圧タービン３２には第２の再熱器１７が接続され、第２の再熱器１７には第１の再熱器１５が接続されて、第１の再熱器１５は中圧タービン（ＩＰ）３３に接続されている。
【００２３】
中圧タービン３３を通過した蒸気は低圧タービン３４に与えられ、そして、低圧タービン３４を通過した蒸気は、復水器３５で海水によって冷却されて復水（水）となる（復水される）。復水器３５には別に水（純水）が供給され、復水器３５から復水が前述の節炭器１８に供給される。また、タービン軸には発電機３６が連結され、タービン軸の回転駆動によって発電機３６が駆動されて発電が行われる。
【００２４】
ボイラー装置１１において、燃料管３７から火炉１２に燃料（例えば、石油）が供給され、通風ダクト２７から空気予熱器２０によって予熱された空気が火炉１２に与えられ、火炉１２で燃料が燃焼する。そして、燃料の燃焼によって発生する燃焼排ガスが煙道１３を通って排出されるが、この際、節炭器１８、１次過熱器１６、及び２次過熱器１４によって復水が過熱されて加熱蒸気として高圧タービン３２に供給される。
【００２５】
つまり、復水器３５から供給された復水は節炭器１８で加熱された後、火炉水冷壁３１を通って１次過熱器１６に達し、ここで１次過熱されて、１次過熱蒸気となる。この１次加熱蒸気は２次過熱器１４に送られて、さらに過熱されて過熱蒸気（２次加熱蒸気）として高圧タービン３２に供給される。
【００２６】
高圧タービン３２を通過した蒸気は、第２の再熱器１７に送られて、ここで再加熱された後、さらに第１の再熱器１５で再加熱されて、再熱蒸気として、中圧タービン３３に送られる。そして、中圧タービン３３を通過した蒸気は低圧タービン３４に送られて、これらタービンの駆動によって発電機３６が駆動されることになる。
【００２７】
一方、節炭器１８を通過した燃焼排ガスは脱硝装置１９において脱硝された後、空気予熱器２０において通風ダクト２７を通過する空気を予熱する。そして、電気集塵機２１によって燃焼排ガス中の塵埃等が集塵された後、脱硫装置２２で脱硫が行われて、煙突２３から排出される。
【００２８】
図２も参照すると、図１には示されていないが、脱硝装置１９、電気集塵機２１、及び脱硫装置２２にはアンモニア装置４１が接続され、アンモニア装置４１からアンモニア（ＮＨ３）が脱硝装置１９、電気集塵機２１、及び脱硫装置２２に供給されることになる（同様に、２号機の脱硝装置、電気集塵機、及び脱硫装置にも別のアンモニア装置からアンモニアが供給される。以下の説明のでは、１号機のアンモニア装置を第１のアンモニア装置（３０トンアンモニア装置）と呼び、２号機のアンモニア装置を第２のアンモニア装置（１０トンアンモニア装置）と呼ぶ）。
【００２９】
ところで、１号機及び２号機の各種設備については定期点検等の各種点検が行われることになるが、例えば、第１のアンモニア装置４１を点検中においては、１号機は稼動中とすることが望ましく、このため臨時的に第２のアンモニア装置（図２には示さず）から１号機にアンモニアを供給する。一方、１号機と２号機とは独立しているため、２号機に係る所内電源切り替え等によって、２号機用非常Ｃ／Ｃが停電すると、第２のアンモニア装置が停止してしまうことになる。この結果、１号機は運転中であるにもかかわらず、脱硝等が行われなくなってしまうという事態が発生する。
【００３０】
このような不都合を防止するため、ここでは、次のようにして電源切り替えを行う。図３は第２のアンモニア装置４２の電源系統（電源回路）４３を示す図であり、図示のように、電源回路４３は電源切り替えスイッチ４４を介して電源盤（制御盤）４５に接続されている。電源盤４５には電力が供給され、電源盤４５からの出力である第１の電源路４６が１号機側電源路として用いられ、第２の電源路４７が２号機側電源路として用いられる。
【００３１】
通常の場合（つまり、２号機用非常Ｃ／Ｃが通電状態である場合）、電源切り替えスイッチ４４（第２のアンモニア装置４２の制御盤に備えられている）によって電源回路４３は第２の電源路４７に接続され、第２の電源路４７を介して電源回路４３に電力が供給され、これによって、第２のアンモニア装置４２が稼動している。この状態で、２号機用非常Ｃ／Ｃが停電すると、第２のアンモニア装置４２が停止してしまうため、速やかに電源回路４３を第１の電源路４６に切り替える。
【００３２】
ここで、図４も参照すると、発電所の中央制御室（図示せず）では、１号機及び２号機をモニター（例えば、ＣＲＴ）等で監視しており、電源切り替えを行う際には、まず、第２のアンモニア装置４２が手動・起動状態であるか否かを、モニターで確認する（ステップＳ１）。手動・起動状態でなければ、第２のアンモニア装置４２を手動・起動状態とする（ステップＳ２）。
【００３３】
この際、中央制御室においては、１号機及び２号機の各ユニット（設備）の監視要員を配置し、共通ＤＤＣについても中央確認・連絡要員を配置する。さらに、現場（第２のアンモニア装置４２）においても、対応操作・連絡要員及び電源切り替え操作要員を配置するとともに、緊急時のバイパス操作要員を配置する。
【００３４】
続いて、電源切り替えスイッチ４４において、第１の電源路４６の電源電圧をテスターで確認して（ステップＳ３）、現場から中央制御室に電源切り替え操作開始を連絡する（ステップＳ４）。その後、第２のアンモニア装置４２の制御盤の操作場所切り替えスイッチ（図示せず）を現場に切り替える（ステップＳ５：瞬時停電時には、電源断によって全ての遮断弁が閉止してしまうので、開操作に備え切り替えを実施することになる）。
【００３５】
そして、電源切り替えスイッチ４４を第２の電源路４７から第１の電源路４６に切り替える（つまり、電源切り替えスイッチ４４によって第１の電源路４６と電源回路４３とを接続する（ステップＳ６））。この際、各調整弁（ＣＶ）が制御中であるので、電源切り替え時の影響を考慮して、例えば、気化器圧力ＣＶが最低開度付近になるポイントで電源切り替えを実行する。
【００３６】
続いて、図５に示すチェックシートを参照して、続く操作を実行する。図５に示すように、このチェックシートには、チェック機器欄、状態変化欄、操作欄、及びチェック欄が設けられており、操作員はチェックシートによって操作を行う。操作員は、電源切り替えの際、チェックシートによって、制御盤の制御電源の表示が一時消灯したことを確認する（ステップＳ７）。
【００３７】
さらに、チェックシートを参照して、制御盤において気化器入口遮断弁、アンモニアガス遮断弁、及び気化器蒸気遮断弁を開とする（ステップＳ８）。なお、この際、各遮断弁が開操作できない場合には、現場においてバイパス弁を開状態とした後、復旧操作を行う。
【００３８】
次に、操作員は気化器圧力ＣＶ、アキュムレータ圧力ＣＶ、及び気化器温度ＣＶが表示消灯及び手動であるかを確認して、自動に切り替えるとともに、表示を確認する（ステップＳ９）。つまり、操作員は気化器圧力ＣＶ、アキュムレータ圧力ＣＶ、及び気化器温度ＣＶが自動でかつ切り替え前とそのパラメータに変化がないことを確認する（なお、停電瞬間、コントローラの表示が消灯するが、復旧（復電）の後、元に復帰するので異常のないことを確認する。また、前述のように手動である際には、表示を確認して自動に操作する）。
【００３９】
その後、制御盤において、操作場所切り替えスイッチを中央制御室に切り替え（ステップＳ１０）、中央制御室でモニターによってアンモニア装置（アンモニア注入装置）が手動・起動状態であることを確認する（ステップＳ１１）。この確認を行った後、中央制御室において、１号機及び２号機に影響がないことを確認されると（ステップＳ１２）、現場から中央制御室への操作終了を待って電源切り替え操作を終了する。
【００４０】
図６を参照して、２号機用非常Ｃ／Ｃが復旧した際の操作について説明する。まず、操作員は、第２のアンモニア装置４２の制御盤の電源切り替えスイッチ４４において、第２の電源路４７の電源電圧をテスターで確認した後（ステップＰ１）、現場から中央制御室に電源切り替え操作開始を連絡する（ステップＰ２）。その後、第２のアンモニア装置４２の制御盤の操作場所切り替えスイッチを現場に切り替える（ステップＰ３：瞬時停電時には、電源断によって全ての遮断弁が閉止してしまうので、開操作に備え切り替えを実施することになる）。
【００４１】
そして、電源切り替えスイッチ４４を第１の電源路４６から第２の電源路４７に切り替える（つまり、電源切り替えスイッチ４４によって第２の電源路４７と電源回路４３とを接続する（ステップＰ４））。この際、各調整弁（ＣＶ）が制御中であるので、電源切り替え時の影響を考慮して、例えば、気化器圧力ＣＶが最低開度付近になるポイントで電源切り替えを実行する。続いて、図４で説明したステップＳ７〜Ｓ１２を、ステップＰ５で実行して電源復旧操作を終了する。
【００４２】
このようにして、本実施の形態では、各遮断弁及び各ＣＶの状態をチェックシートで確認しつつ、２号機の停電の際に、１号機側電源への電源切り替え操作を行うようにしたから、誤操作による１号機及び２号機のユニットへの影響をなくして、しかも操作員の負担を少なくすることができるという効果がある。つまり、誤操作をなくして、停電の際電源切り替えを行うことができ、アンモニアが供給されないという事態を回避することができるという効果がある。
【００４３】
上述の実施の形態では、中央制御室で１号機及び２号機の状態を監視しつつ、現場で操作員が切り替えスイッチを切り替える例について説明したが、コンピュータ（又はコンピュータ上で動作する制御プログラム）で上述の電源切り替え制御を実行するようにしてもよい。
【００４４】
図７は電源切り替え制御を行うコンピュータの一例を示す図であり、図７に示す各機能ブロックは制御プログラムの一部であってもよい。このコンピュータ５０は、例えば、中央制御室に配置されており、第１の電源路４６及び第２の電源路４７の電源電圧を監視する電源監視部５１と、操作場所切り替えスイッチを切り替える第１のスイッチ切り替え部５２と、電源切り替えスイッチを切り替える第２のスイッチ切り替え部５３と、制御電源、各遮断弁、及び各ＣＶの状態を監視するとともに各弁の操作を実行する弁等監視・制御部５４と、第２のアンモニア装置が手動・起動状態であるかを監視する手動・起動監視部５５とを有している。
【００４５】
中央制御室において、コンピュータ５０に対して電源切り替え指令が与えられると、手動・起動監視部５５は、第２のアンモニア装置４２が手動・起動状態であるか否かを確認して、手動・起動状態であると、続いて電源監視部５１が電源切り替えスイッチ４４における第１の電源路４６の電源電圧を確認する。
【００４６】
その後、第１のスイッチ切り替え部５２が第２のアンモニア装置４２の制御盤の操作場所切り替えスイッチ５７を現場に切り替えると、第２のスイッチ切り替え部５３が電源切り替えスイッチ４４を制御して第２の電源路４７から第１の電源路４６に切り替える。この際、弁等監視・制御部５４が電源切り替え時の影響を考慮して、気化器圧力ＣＶが最低開度付近になるポイントを監視し、このポイントで第２のスイッチ切り替え部５３は電源切り替えを実行する。
【００４７】
続いて、弁等監視・制御部５４は制御盤の制御電源の表示が一時消灯したことを確認し、気化器入口遮断弁、アンモニアガス遮断弁、及び気化器蒸気遮断弁を開とする。なお、この際、各遮断弁が開操作できない場合には、弁等監視・制御部５４はバイパス弁を開状態とする。
【００４８】
次に、弁等監視・制御部５４は気化器圧力ＣＶ、アキュムレータ圧力ＣＶ、及び気化器温度ＣＶが表示消灯及び手動であるかを確認して、自動に切り替えるとともに、表示を確認する。続いて、第１のスイッチ切り替え部５２が制御盤の操作場所切り替えスイッチを中央制御室に切り替えた後、手動・起動監視部５５が第２のアンモニア装置が手動・起動状態であることを確認して、電源切り替え制御を終了する。
【００４９】
同様にして、２号機用非常Ｃ／Ｃが復旧した際においては、コンピュータ５０に電源復旧指令を与えると、電源監視部５１が電源切り替えスイッチ４４において第２の電源路４７の電源電圧を確認すると、第１のスイッチ切り替え部５２では第２のアンモニア装置４２の制御盤の操作場所切り替えスイッチを現場に切り替える。
【００５０】
そして、第２のスイッチ切り替え部５３が電源切り替えスイッチ４４を第１の電源路４６から第２の電源路４７に切り替える。以降前述した電源切り替え制御と同様にして、コンピュータは電源復旧替制御を実行することになる。
【００５１】
なお、上述の説明では、コンピュータ５０に電源切り替え指令又は電源復旧指令を与えると、コンピュータ５０が電源切り替え制御又は電源復旧制御を行う例について説明したが、コンピュータ５０が、図７に破線ブロックで示す停電監視部５６を備えて、この停電監視部５６で２号機用非常Ｃ／Ｃの通電状態（つまり、停電）を監視して、これに応じて電源切り替え制御又は電源復旧制御を行うようにしてもよい。
【００５２】
また、上述の例では、火力発電所について説明したが、ボイラー装置からの燃焼排ガスを処理するために中和剤注入装置を備える発電所であれば、同様に適用できる。
【図面の簡単な説明】
【００５３】
【図１】本発明の実施の形態による中和剤注入装置電源切り替え方法が用いられる火力発電プラントの主要部の一例を示す図である。
【図２】図１に示す火力発電プラントで用いられるアンモニア装置によるアンモニアの供給経路を示すブロック図である。
【図３】アンモニア装置の電源回路の一例を示す回路図である。
【図４】本発明の実施の形態による中和剤注入装置電源切り替え方法における電源切り替え操作を説明するためのフロー図である。
【図５】図１に示す電源切り替え操作で用いられるチェックシートの一例を示す図である。
【図６】本発明の実施の形態による中和剤注入装置電源切り替え方法における電源復旧操作を説明するためのフロー図である。
【図７】図４及び図６で説明した電源切り替え操作及び電源復旧操作を実現するコンピュータの機能ブロック図である。
【符号の説明】
【００５４】
１１  ボイラー装置
１２  火炉
１３  煙道
１４  ２次過熱器
１５  第１の再熱器
１６  １次過熱器
１７  第２の再熱器
１８  節炭器
１９  脱硝装置
２０  空気予熱器
２１  電気集塵機
２２  脱硫装置
２３  煙突
２４  排ガス再循環ダクト
２５  排ガス再循環ファン（ＧＲＦ）
２６  火炉ホッパーダンパー（火炉ダンパー）
２７  通風ダクト
２８  押込通風機（ＦＤＦ）
２９  バイパスダクト
３０  排ガス再循環昇圧ファン（ＧＲＢＦ）
３１  火炉水壁（火炉水冷壁）
３２  高圧タービン（ＨＰ）
３３  中圧タービン（ＩＰ）
３４  低圧タービン（ＬＰ）
３５  復水器
３６  発電機
３７  燃料管
４１，４２  アンモニア装置
４３  電源系統（電源回路）
４４  電源切り替えスイッチ
４５  電源盤（制御盤）
４６，４７  電源路
５１  電源監視部
５２，５３  スイッチ切り替え部
５４  弁等監視・制御部
５５  手動・起動監視部
５６  停電監視部
【図１】
2008194578.tif 000003
【図２】
2008194578.tif 000004
【図３】
2008194578.tif 000005
【図４】
2008194578.tif 000006
【図５】
2008194578.tif 000007
【図６】
2008194578.tif 000008
【図７】
2008194578.tif 000009